(57)【特許請求の範囲】
【請求項１】
テーブルに乗載されたディスクを、昇降手段６７６によって昇降されるクランプ手段６７５によって装着し、テーブルを回転してディスクを光ピックアップによって再生または記録するディスク装置において、
クランプ手段６７５は、
（ａ）ディスクをテーブル上に装着するクランプ部材６７７と、
（ｂ）昇降手段６７６によって昇降されるホルダ６７８であって、
このホルダ６７８の表面６９０から突出する連結部６９４から外側方に張り出した係止部６９５と、
第１変位阻止部６９７とを有するホルダ６７８と、
（ｃ）扁平な形状を有し、クランプ部材６７７をテーブルに向けて弾発的に押圧するばね部材６７９であって、
ホルダ６７８との間でクランプ部材６７７の外周部を保持する保持片７１９を有し、
ホルダ６７８の前記表面６９０と係止部６９５との間で弾発的に挟持される突出部７１３と、
第１変位阻止部６９７に係合してホルダ６７８との周方向の変位を阻止する第２変位阻止部７１６とを有するばね部材６７９とを含むことを特徴とするディスク装置。
【請求項２】
（ａ）ディスクを乗載するテーブルと、
（ｂ）テーブルを回転駆動する回転駆動源と、
（ｃ）テーブル上に装着されたディスクを再生または記録する光ピックアップと、
（ｄ）ディスクをテーブルの直上に挿入搬送し、このテーブル直上のディスクを排出搬送するディスク搬送手段と、
（ｅ）クランプ手段６７５であって、
（ｅ１）挿入されたディスクをテーブル上に装着するクランプ部材６７７と、
（ｅ２）ホルダ６７８であって、
クランプ部材が挿入されて配置される収納孔６８３が形成されるホルダ本体６８１と、
ホルダ本体に、収納孔の半径方向外方で、周方向に間隔をあけて配置され、テーブルとは反対側の表面から突出した複数の係止突起６９３であって、各係止突起は、
前記表面に連なる連結部６９４と、
連結部に連なり、連結部の外側方に張り出した係止部６９５とを有する係止突起と、
ホルダ本体に、収納孔よりも半径方向外方に形成される第１変位阻止部６９７とを有するホルダと、
（ｅ３）扁平な形状を有するばね部材６７９であって、
係止突起６９３にそれぞれ対応して周方向に延び、連結部が挿通する係止孔７０７が形成されるばね部材本体７０３と、
ばね部材本体に各係止孔の側部で、ホルダの前記表面とは反対側に突出し、ホルダの前記表面と係止突起との間に係止して挟持される突出部７１３と、
ばね部材本体に設けられる第１変位阻止部に係合してホルダとの周方向の変位を阻止する第２変位阻止部７１６と、
ばね部材本体７０３に設けられ、クランプ部材をテーブルに向けて弾発的に押圧するばね片７２４と、
前記収納孔６８３の半径方向外周部付近で、周方向に間隔をあけて配置され、ばね部材本体７０３から厚み方向にテーブル５０８側に間隔をあけて半径方向内方に突出し、クランプ部材のテーブル側の表面の外周部を保持する保持片７１９とを有するばね部材６７９とを含むクランプ手段と、
（ｆ）ホルダを下降してクランプ部材によってディスクをテーブル上に装着し、ホルダを上昇してテーブル上のディスクの装着を解除する昇降手段６７６とを含むことを特徴とするディスク装置。
【請求項３】
係止孔７０７は、
周方向の一方向７０１の端部に、前記係止部６９５の幅Ｗ１よりも大きい幅Ｗ３を有する挿通孔７０８と、
周方向の他方向に挿通孔７０８から連なり、前記係止部６９５の幅Ｗ１未満でありかつ前記連結部６９４の幅Ｗ２以上である幅Ｗ４を有する円弧状の位置決め用長孔７０９とを有することを特徴とする請求項２記載のディスク装置。
【請求項４】
ホルダ本体６８１には、
位置決め用長孔７０９の幅Ｗ４に等しい外径Ｄ１を有する位置決め用突起６９６が形成されることを特徴とする請求項３記載のディスク装置。
【請求項５】
第１変位阻止部６９７は、係止突起よりも半径方向外方に形成される変位阻止用突起であり、
第２変位阻止部７１６は、係止孔７０７よりも半径方向外方に形成され、変位阻止用突起にぴったりと嵌合する変位阻止用透孔であり、
ばね部材本体７０３には、変位阻止用透孔を有する半径方向外方に延びる細長い操作部７１５が形成されることを特徴とする請求項３記載のディスク装置。
【請求項６】
変位阻止用突起と、変位阻止用透孔が形成された操作部との組合せは、
収納孔６８３の周方向に１８０度ずれて形成されることを特徴とする請求項５記載のディスク装置。
【請求項７】
操作部の遊端部７１７は、半径方向外方になるにつれてホルダ本体６８１から遠去かるように傾斜して形成されることを特徴とする請求項５または６記載のディスク装置。
【請求項８】
変位阻止用突起よりも周方向の他方向７０２に近接して操作部用案内傾斜面６９９を有する案内部６９８がホルダ本体６８１に形成され、
この案内傾斜面は、周方向の前記一方向７０１になるにつれて高くなるように隆起し、
変位阻止用突起６９７と前記案内部６９８との間に、操作部７１５の変位阻止用透孔７１６よりも周方向の前記他方向７０２の部分が存在することを特徴とする請求項５〜７のうちの１つに記載のディスク装置。
【請求項９】
ばね部材６７９の前記突出部７１３は、ばね部材本体７０３の位置決め用長孔７０９の両側部が隆起して弾性変形可能に形成されることを特徴とする請求項３〜８のうちの１つに記載のディスク装置。
【請求項１０】
ホルダ６７８は、収納孔の周方向に間隔をあけてかつ半径方向に突出した複数の支持片７５５を有することを特徴とする請求項２〜９のうちの１つに記載のディスク装置。
【請求項１１】
（ａ）ディスクを乗載するテーブルと、
（ｂ）テーブルを回転駆動する回転駆動源と、
（ｃ）テーブル上に装着されたディスクを再生または記録する光ピックアップと、
（ｄ）ディスクをテーブルの直上に挿入搬送し、このテーブル直上のディスクを排出搬送するディスク搬送手段と、
（ｅ）クランプ手段６７５であって、
（ｅ１）挿入されたディスクをテーブル上に装着するクランプ部材６７７と、
（ｅ２）ホルダ６７８であって、
クランプ部材が挿入されて配置される収納孔６８３が形成されるホルダ本体６８１と、
この収納孔の周方向に間隔をあけてかつ半径方向に突出した複数の支持片７５５とを有するホルダと、
（ｅ３）扁平な形状を有するばね部材６７９であって、
ホルダ本体にテーブルとは反対側で取付けられるばね部材本体７０３と、
ばね部材本体に設けられ、クランプ部材をテーブルに向けて弾発的に押圧するばね片７２４と、
前記収納孔の半径方向外周部付近で、周方向に間隔をあけて配置され、ばね部材本体から厚み方向に間隔をあけて半径方向内方に突出し、クランプ部材のテーブル側の表面の外周部を保持する保持片７１９とを有するばね部材６７９とを含むクランプ手段６７５と、
（ｆ）ホルダを下降してクランプ部材によってディスクをテーブル上に装着し、ホルダを上昇してテーブル上のディスクの装着を解除する昇降手段６７６とを含むことを特徴とするディスク装置。
【請求項１２】
支持片７５５の半径方向内方端７５６は、ホルダ本体６８１に平行な一仮想平面内で円弧状に形成されることを特徴とする請求項１１記載のディスク装置。
【請求項１３】
ばね部材本体７０３は、前記収納孔６８３を、テーブルとは反対側に隆起して覆い、
ディスクがテーブル上に装着された状態で、クランプ部材６７７の外周縁の保持部７３８は、収納孔６８３から離脱してホルダ本体の厚み方向のばね部材本体側の空間７０６に位置することを特徴とする請求項１１または１２記載のディスク装置。
【発明の詳細な説明】
【０００１】
【発明の属する技術分野】
本発明は、デジタルビデオディスク（略称ＤＶＤ）およびコンパクトディスク（略称ＣＤ）などの円板状記録媒体である光ディスクまたは光磁気ディスクなどのディスクの再生または記録のいずれか少なくとも一方を行うディスク装置に関する。
【０００２】
【従来の技術】
従来から、ＤＶＤまたはＣＤなどのディスクは、テーブル上で、クランプ部材によって、そのクランプ部材とテーブルに設けられた永久磁石片との間の磁気吸引力によって装着され、さらにばね力によってクランプ部材をテーブルに向けてばね力を与え、ディスクをテーブルに確実に乗載して装着するように構成される。先行技術では、クランプ部材に関連する構成が比較的複雑であり、生産性が劣る。
【０００３】
またＤＶＤまたはＣＤなどのディスクを、回転駆動されるテーブル上に押圧して装着するためのクランプ部材は、接触部分をできるだけ少なくして、円滑に、かつ確実に、ディスクをテーブルに乗載して装着する動作を達成することが要求される。先行技術では、このようなクランプ部材に関連する構成が比較的複雑であり、ディスクをテーブルに装着するクランプ部材の動作が、円滑に行われるとは言い難い。
【０００４】
【発明が解決しようとする課題】
本発明の目的は、部品点数をできるだけ低減し、構成を簡略化し、これによって生産性を向上することができるようにしたディスク装置を提供することである。
【０００５】
本発明の他の目的は、部品点数をできるだけ低減し、構成を簡略化し、これによって生産性を向上するだけでなく、さらにディスクをテーブルに、クランプ部材の円滑な動作によって装着することができるようにしたディスク装置を提供することである。
【０００６】
【課題を解決するための手段】
本発明は、テーブルに乗載されたディスクを、昇降手段６７６によって昇降されるクランプ手段６７５によって装着し、テーブルを回転してディスクを光ピックアップによって再生または記録するディスク装置において、
クランプ手段６７５は、
（ａ）ディスクをテーブル上に装着するクランプ部材６７７と、
（ｂ）昇降手段６７６によって昇降されるホルダ６７８であって、
このホルダ６７８の表面６９０から突出する連結部６９４から外側方に張り出した係止部６９５と、
第１変位阻止部６９７とを有するホルダ６７８と、
（ｃ）扁平な形状を有し、クランプ部材６７７をテーブルに向けて弾発的に押圧するばね部材６７９であって、
ホルダ６７８との間でクランプ部材６７７の外周部を保持する保持片７１９を有し、
ホルダ６７８の前記表面６９０と係止部６９５との間で弾発的に挟持される突出部７１３と、
第１変位阻止部６９７に係合してホルダ６７８との周方向の変位を阻止する第２変位阻止部７１６とを有するばね部材６７９とを含むことを特徴とするディスク装置である。
本発明は、（ａ）ディスクを乗載するテーブルと、
（ｂ）テーブルを回転駆動する回転駆動源と、
（ｃ）テーブル上に装着されたディスクを再生または記録する光ピックアップと、
（ｄ）ディスクをテーブルの直上に挿入搬送し、このテーブル直上のディスクを排出搬送するディスク搬送手段と、
（ｅ）クランプ手段６７５であって、
（ｅ１）挿入されたディスクをテーブル上に装着するクランプ部材６７７と、
（ｅ２）ホルダ６７８であって、
クランプ部材が挿入されて配置される収納孔６８３が形成されるホルダ本体６８１と、
ホルダ本体に、収納孔の半径方向外方で、周方向に間隔をあけて配置され、テーブルとは反対側の表面から突出した複数の係止突起６９３であって、各係止突起は、
前記表面に連なる連結部６９４と、
連結部に連なり、連結部の外側方に張り出した係止部６９５とを有する係止突起と、
ホルダ本体に、収納孔よりも半径方向外方に形成される第１変位阻止部６９７とを有するホルダと、
（ｅ３）扁平な形状を有するばね部材６７９であって、
係止突起６９３にそれぞれ対応して周方向に延び、連結部が挿通する係止孔７０７が形成されるばね部材本体７０３と、
ばね部材本体に各係止孔の側部で、ホルダの前記表面とは反対側に突出し、ホルダの前記表面と係止突起との間に係止して挟持される突出部７１３と、
ばね部材本体に設けられる第１変位阻止部に係合してホルダとの周方向の変位を阻止する第２変位阻止部７１６と、
ばね部材本体７０３に設けられ、クランプ部材をテーブルに向けて弾発的に押圧するばね片７２４と、
前記収納孔６８３の半径方向外周部付近で、周方向に間隔をあけて配置され、ばね部材本体７０３から厚み方向にテーブル５０８側に間隔をあけて半径方向内方に突出し、クランプ部材のテーブル側の表面の外周部を保持する保持片７１９とを有するばね部材６７９とを含むクランプ手段と、
（ｆ）ホルダを下降してクランプ部材によってディスクをテーブル上に装着し、ホルダを上昇してテーブル上のディスクの装着を解除する昇降手段６７６とを含むことを特徴とするディスク装置である。
【０００７】
本発明に従えば、回転駆動源によって回転駆動されるテーブルには、ディスク搬送手段によってＤＶＤまたはＣＤなどのディスクが搬送され、昇降手段によってクランプ手段のホルダ、したがってクランプ部材がテーブルに向かって下降し、クランプ手段のクランプ部材は、ばね部材のばね片によるばね力によって、テーブルに向けて押付け、これによってクランプ部材は、ディスクをテーブルに装着する。この状態で、光ピックアップの働きによって、ディスクの再生または記録のいずれか少なくとも一方が行われる。ディスクは、光ディスクだけでなく光磁気ディスクなどであってもよい。
【０００８】
ホルダ本体に形成された収納孔には、クランプ部材が配置され、ホルダ本体に取付けられるばね部材によって、クランプ部材が収納孔付近で保持される。ホルダの係止突起は、ばね部材本体に形成された係止孔を挿通し、ホルダとばね部材とを、収納孔の軸線まわりに角変位することによって、係止突起の連結部に連なる係止部は、係止孔に沿って相対的に移動し、ホルダ本体のテーブルとは反対側の上面との間で、ばね部材の突出部を係止して挟持する。これによってホルダ本体にばね部材がそれぞれの厚み方向に当接して取付けられる。こうしてホルダ本体にばね部材が取付けられた状態で、相互の角変位が生じることを防ぐために、ホルダの第１変位阻止部は、ばね部材の第２変位阻止部と係合する。
【０００９】
ばね片は、クランプ部材に、テーブルに向かうばね力を与え、ばね部材の保持片は、クランプ部材のテーブル側の表面の外周部を保持して、クランプ部材がホルダ本体に形成された前述の収納孔からテーブル側に抜け出すことを防いで、クランプ部材を保持する。こうして本発明では、クランプ手段は基本的に、クランプ部材とホルダとばね部材とによって構成され、部品点数が減少され、構成が単純であり、製造が容易であり、組立作業が容易である。
【００１０】
また本発明は、係止孔７０７は、
周方向の一方向７０１の端部に、前記係止部６９５の幅Ｗ１よりも大きい幅Ｗ３を有する挿通孔７０８と、
周方向の他方向に挿通孔７０８から連なり、前記係止部６９５の幅Ｗ１未満でありかつ前記連結部６９４の幅Ｗ２以上である幅Ｗ４を有する円弧状の位置決め用長孔７０９とを有することを特徴とする。
【００１１】
本発明に従えば、係止孔の挿通孔には、ホルダの係止部が挿通し、この状態でホルダ本体とばね部材とを、収納孔の軸線まわりに角変位することによってホルダの連結部が、係止孔の円弧状の位置決め用長孔に移動する。これによって係止部がばね部材の突出部に係止し、係止部とホルダ本体との間でばね部材の突出部、したがってばね部材本体が挟持されて取付けられる。こうしてホルダへのばね部材の取付け作業を容易に行うことができる。
【００１２】
また本発明は、ホルダ本体６８１には、
位置決め用長孔７０９の幅Ｗ４に等しい外径Ｄ１を有する位置決め用突起６９６が形成されることを特徴とする。
【００１３】
本発明に従えば、ホルダ本体には、位置決め用突起が形成され、位置決め用長孔に嵌まり込むので、ホルダとばね部材とを収納孔の軸線まわりに正確に角変位して装着することが容易に可能であり、組立て作業が容易になる。
【００１４】
また本発明は、第１変位阻止部６９７は、係止突起よりも半径方向外方に形成される変位阻止用突起であり、
第２変位阻止部７１６は、係止孔７０７よりも半径方向外方に形成され、変位阻止用突起にぴったりと嵌合する変位阻止用透孔であり、
ばね部材本体７０３には、変位阻止用透孔を有する半径方向外方に延びる細長い操作部７１５が形成されることを特徴とする。
【００１５】
本発明に従えば、ホルダの第１変位阻止部である変位阻止用突起には、ばね部材の第２変位阻止部である変位阻止用透孔にぴったりと嵌合し、こうしてホルダとばね部材との相互の角変位が阻止されて、ホルダとばね部材との正確な組立状態が保たれる。
【００１６】
変位阻止用透孔は、ばね部材本体に形成された細長い操作部に形成されているので、この操作部のばね力によって、その操作部に形成された変位阻止用透孔に変位阻止用突起が容易に弾発的に嵌合することができ、このことによってもまた、組立作業が容易である。
【００１７】
また本発明は、変位阻止用突起と、変位阻止用透孔が形成された操作部との組合せは、
収納孔６８３の周方向に１８０度ずれて形成されることを特徴とする。
【００１８】
本発明に従えば、変位阻止用突起と操作部との組合せは、収納孔の周方向に１８０度ずれて形成されるので、これら一対の操作部を操作して、変位阻止用透孔に、変位阻止用突起をぴったりと嵌合することが容易であり、組立の作業性が向上される。
【００１９】
また本発明は、操作部の遊端部７１７は、半径方向外方になるにつれてホルダ本体６８１から遠去かるように傾斜して形成されることを特徴とする。
【００２０】
本発明に従えば、操作部の遊端部が、ホルダ本体から遠去かって離間するように傾斜しているので、この操作部の遊端部を作業者が指で、または治具を用いて、または自動化された組立て装置によって把持し、変位阻止用透孔に変位阻止用突起を嵌合する作業が、さらに一層容易になる。
【００２１】
また本発明は、変位阻止用突起よりも周方向の他方向７０２に近接して操作部用案内傾斜面６９９を有する案内部６９８がホルダ本体６８１に形成され、
この案内傾斜面は、周方向の前記一方向７０１になるにつれて高くなるように隆起し、
変位阻止用突起６９７と前記案内部６９８との間に、操作部７１５の変位阻止用透孔７１６よりも周方向の前記他方向７０２の部分が存在することを特徴とする。
【００２２】
本発明に従えば、操作部用案内傾斜面を有する案内部が形成されているので、ホルダ本体上でばね部材本体を、操作部によって角変位したとき、操作部は、この操作部用案内傾斜面に沿ってホルダ本体から弾発的に浮き上がって離間し、この状態で、操作部に形成された変位阻止用透孔が、ホルダの変位阻止用突起の直上にもたらされ、変位阻止用突起が変位阻止用透孔に容易に嵌合し、組立て作業性が良好である。
【００２３】
また本発明は、ばね部材６７９の前記突出部７１３は、ばね部材本体７０３の位置決め用長孔７０９の両側部が隆起して弾性変形可能に形成されることを特徴とする。
【００２４】
本発明に従えば、ばね部材に形成された突出部は、そのばね部材本体の位置決め用長孔の両側部のプレス加工などによって形成することができ、製造が容易である。
【００２５】
また本発明は、ホルダ６７８は、収納孔の周方向に間隔をあけてかつ半径方向に突出した複数の支持片７５５を有することを特徴とする。
【００２６】
また本発明は、（ａ）ディスクを乗載するテーブルと、
（ｂ）テーブルを回転駆動する回転駆動源と、
（ｃ）テーブル上に装着されたディスクを再生または記録する光ピックアップと、
（ｄ）ディスクをテーブルの直上に挿入搬送し、このテーブル直上のディスクを排出搬送するディスク搬送手段と、
（ｅ）クランプ手段６７５であって、
（ｅ１）挿入されたディスクをテーブル上に装着するクランプ部材６７７と、
（ｅ２）ホルダ６７８であって、
クランプ部材が挿入されて配置される収納孔６８３が形成されるホルダ本体６８１と、
この収納孔の周方向に間隔をあけてかつ半径方向に突出した複数の支持片７５５とを有するホルダと、
（ｅ３）扁平な形状を有するばね部材６７９であって、
ホルダ本体にテーブルとは反対側で取付けられるばね部材本体７０３と、
ばね部材本体に設けられ、クランプ部材をテーブルに向けて弾発的に押圧するばね片７２４と、
前記収納孔の半径方向外周部付近で、周方向に間隔をあけて配置され、ばね部材本体から厚み方向に間隔をあけて半径方向内方に突出し、クランプ部材のテーブル側の表面の外周部を保持する保持片７１９とを有するばね部材６７９とを含むクランプ手段６７５と、
（ｆ）ホルダを下降してクランプ部材によってディスクをテーブル上に装着し、ホルダを上昇してテーブル上のディスクの装着を解除する昇降手段６７６とを含むことを特徴とするディスク装置である。
【００２７】
本発明に従えば、回転駆動源によって回転駆動されるテーブルには、ディスク搬送手段によってＤＶＤまたはＣＤなどのディスクが搬送され、昇降手段によってクランプ手段のホルダ、したがってクランプ部材がテーブルに向かって下降し、クランプ手段のクランプ部材は、ばね部材のばね片によるばね力によって、テーブルに向けて押付け、これによってクランプ部材は、ディスクをテーブルに装着する。この状態で、光ピックアップの働きによって、ディスクの再生または記録のいずれか少なくとも一方が行われる。ディスクは、光ディスクだけでなく光磁気ディスクなどであってもよい。
【００２８】
本発明に従えば、ホルダの収納孔に形成された複数の支持片は、周方向に間隔をあけて形成されており、したがって支持片とクランプ部材の外周部との接触部分がわずかとなり、クランプの円滑な動作が可能となる。これによってクランプ部材は、ばね部材のばね片のばね力で、テーブル上にディスクを円滑に乗載して押圧し、装着することが確実になる。
【００２９】
また本発明は、支持片７５５の半径方向内方端７５６は、ホルダ本体６８１に平行な一仮想平面内で円弧状に形成されることを特徴とする。
【００３０】
本発明に従えば、支持片の半径方向内方端が円弧状であり、したがってクランプ部材の外周部に、支持片の半径方向内方端が点接触することができ、このことによってクランプ部材がさらに一層円滑に動作し、ディスクをテーブル上に確実に装着することが正確に可能になる。
【００３１】
また本発明は、ばね部材本体７０３は、前記収納孔６８３を、テーブルとは反対側に隆起して覆い、
ディスクがテーブル上に装着された状態で、クランプ部材６７７の外周縁の保持部７３８は、収納孔６８３から離脱してホルダ本体の厚み方向のばね部材本体側の空間７０６に位置することを特徴とする。
【００３２】
本発明に従えば、ばね部材本体が、収納孔よりもテーブルとは反対側に隆起して覆っており、したがって収納孔に存在していたクランプ部材は、ディスクの再生または記録のいずれか少なくとも一方が行われる状態では、クランプ部材は、収納孔のテーブルとは反対側、すなわちばね部材本体側の空間７０６（図１３参照）に位置する。これによってクランプ部材が、テーブルおよびディスクとともに回転する際、クランプ部材が、支持片などに接触するおそれはなく、再生／記録の動作が円滑に行われる。
【００３３】
【発明の実施の形態】
図１は、本発明の実施の一形態の全体の構成を示す簡略化した平面図である。ＤＶＤ再生装置５０１において、挿入／排出口５０２から矢符５０３で示されるようにＤＶＤ５０４が、装置本体５０５内に挿入される。このＤＶＤ５０４は、装置本体５０５内で、回転駆動源５０６によって図１の紙面にほぼ垂直な回転軸線５０７のまわりに回転駆動されるテーブル５０８に乗載される。このテーブル５０８に乗載されたＤＶＤは、参照符５０９で示される。このＤＶＤ５０９は、光ピックアップ５１１に備えられた対物レンズ５１２からのレーザ光を用いてそのＤＶＤ５０９の記録層の内容が読出されて再生される。光ピックアップ５１１は、ねじ棒である主軸５１３と、副軸５１４によって案内され、光ピックアップ５１１は、図１の破線で示されるＤＶＤ５０９の半径方向最内方位置と、仮想線５１５で示されるＤＶＤ５０９の半径方向最外方の位置との間にわたって、移動方向５１６の前後に移動することができる。
【００３４】
主軸５１３は、移動駆動源５１７によってその軸線まわりに回転駆動されるねじ棒であり、光ピックアップ５１１に取付けられたナット部材５１８は、主軸５１３に螺合する。こうして光ピックアップ５１１は、主軸５１３と副軸５１４とによって装置本体５０５の基体５１９における図１の紙面に平行な仮想平面内で、前述の移動方向５１６に沿って移動することができる。対物レンズ５１２の光軸は、前記仮想平面内でテーブル５０８の回転軸線５０７を通る一直線５２１上にあり、この対物レンズ５１２の光軸は、前記仮想平面に垂直である。
【００３５】
主軸５１３と副軸５１４と移動駆動源５１７とナット部材５１８とは、光ピックアップ５１１を基体５１９の一直線５２１に平行な移動方向５１６に移動する移動手段５２２を構成する。
【００３６】
図２はＤＶＤ再生装置５０１の挿入／排出口５０２から見たディスク５０９がテーブル５０８直上に間隔をあけて存在するディスク５０９の上限位置を示す正面図であり、図３はディスク５０９がテーブル５０８に装着されて再生される下限位置にある状態を示す正面図である。挿入／排出口５０２から挿入された再生されるべきディスク５０９は、挿入方向５０３に垂直な水平回転軸線を有する搬送ローラ６７１と、その搬送ローラ６７１の上方に配置される摺動片６７２とを含むディスク搬送手段６７３の働きによってディスク５０９がテーブル５０８の直上に、図２に示されるように挿入／搬送される。再生後のディスク５０９が挿入／排出口５０２から排出搬送されるときもまた、図２と同様に、ディスク５０９がテーブル５０８の直上に間隔をあけた上限位置にある。ディスク５０９は、搬送ローラ６７１上で摺動片６７２との間に挟持されて、前述のように挿入／搬送される。ディスク５０９の再生時には、図３に示されるように搬送ローラ６７１が、ディスク５０９の下方に間隔をあけて下降し、摺動片６７２の下降が制限され、こうしてディスク５０９はテーブル５０８に装着される。ディスク搬送手段６７３の搬送ローラ６７１と、クランプ手段６７５とを図２の上限位置に上昇して、テーブル５０８上のディスク５０９の装着を解除し、また図３に示されるように搬送ローラ６７１とクランプ手段６７５とを図３の下限位置に下降してディスク５０９をテーブル５０８上に装着するために、装置本体５０５の基体５１９の両側部には、昇降手段６７６が設けられる。
【００３７】
クランプ手段６７５は基本的に、挿入されたディスク５０９をテーブル５０８上に装着するクランプ部材６７６と、このクランプ部材６７６を保持するホルダ６７８と、ホルダ６７８に取付けられてクランプ部材６７６をテーブル５０８に向けて弾発的に押圧するばね部材６７９とを含む。クランプ手段６７５のクランプ部材６７７は、前述の昇降手段６７５によって、図２の上限位置と図３の下限位置とに昇降変位される。
【００３８】
図４はクランプ手段６７５を構成するホルダ６７８の平面図であり、図５はホルダ６７８の図４における下方から見た正面図であり、図６はホルダ６７８の右側面図であり、図７はホルダ６７８の左側面図である。ホルダ６７８のホルダ本体６８１には、厚み方向（図４の紙面に垂直な方向、図５の上下方向）の軸線６８２を有する収納孔６８３が形成される。収納孔６８３には、クランプ部材６７７が装入されて配置される。ホルダ本体６８１の左右の側部６８４，６８５に外側方に突出して固定された昇降用凸部６８６，６８７，６８８を有する。
【００３９】
ホルダ６７８の側部６８４，６８５には、ディスク５０９の外周縁の下部に係止する係止片６９１，６９２が、設けられる。これらの係止片６９１，６９２は、ディスク５０９の挿入方向５０３の左右両側方（すなわち図４の右方および左方の両側方）にそれぞれ配置される。これらの係止片６９１，６９２は、図５に明らかに示されるように、ディスク５０９の半径方向内方に向かうについて、テーブル５０８に近づくように、すなわち図５の下方になるように、傾斜して形成される。したがってディスク５０９がたとえば厚み方向に変形しており、図３に示されるようにテーブル５０８に装着された状態から、図２に示されるようにディスク５０９の排出搬送のために上昇されるとき、ディスク５０９の外周縁の下部が、係止片６９１，６９２の上面に点接触して持上げられる。これによってディスク５０９のテーブル５０８上における装着した状態を、確実に解除し、ディスク５０９の挿入／排出口５０２寄りの部分を、搬送ローラ６７１と摺動片６７２とに挟持された状態で排出搬送させることが確実になる。ディスク５０９は、係止片６９１，６９２に前述のように点接触するので、このディスク５０９の外周縁が係止片６９１，６９２の接触によって損傷するおそれはない。
【００４０】
ホルダ本体６８１には、複数（この実施の形態では３）の係止突起６９３が形成される。この係止突起６９３は、周方向にたとえば９０度の間隔をあけて配置され、テーブル５０８とは反対側（図５〜図７の上方）の表面から突出する。
【００４１】
図８は、係止突起６９３とその付近の拡大した平面図である。各係止突起６９３は、ホルダ本体６８１のテーブル５０８とは反対側の前記表面に連なる連結部６９４と、この連結部６９４に連なり、連結部の外側方に張り出した係止部６９５とを有する。後述の図１６には、この係止突起６９３にばね部材６７９が取付けられた状態を示す拡大断面が示される。ホルダ本体６８１にはまた、周方向に間隔をあけて位置決め用突起６９６が突設される。
【００４２】
係止突起６９３は、収納孔６８３の周方向の一方向７０１に、位置決め用突起６９６からずれて配置される。変位阻止用突起６９７と案内部６９８とは、収納孔６８３の周方向に１８０度ずれて、軸線６８２に関して線対称に形成される。ホルダ本体６８１は、金属板をプレス加工することによって、容易に製造することができる。
【００４３】
図９は、図４の切断面線ＩＸ−ＩＸから見た断面図である。ホルダ本体６８１にはまた、テーブル５０８とは反対側の前記表面から突出した第１変位阻止部である変位阻止用突起６９７が形成される。変位阻止用突起６９７よりも収納孔６８３の周方向の他方向７０２に近接して案内部６９８が形成される。この案内部６９８は、操作部用案内傾斜面６９９を有し、前記他方向７０２とは逆方向である一方向７０１になるにつれてホルダ本体６８１の前記表面６９０から図９の上方に高くなるように隆起して形成される。
【００４４】
図１０はばね部材６７９の平面図であり、図１１は図１０の下方から見たばね部材６７９の正面図であり、図１２はばね部材６７９の図１０における左方から見た側面図である。ばね部材６７９は、偏平な形状を有する厚み方向に弾発力を有する鉄などの金属板のプレス加工によって製造することができる。このばね部材６７９のばね部材本体７０３は、ホルダ本体６８１に形成された収納孔６８３の半径方向外方を囲む周縁部７０４と、収納孔６８３の上方を覆うカバー部７０５とを有する。カバー部７０５は、収納孔６８３を、テーブル５０８とは反対側（図１１および図１２の上方）に隆起して覆い、ディスク５０９の再生時、収納孔６８３よりも上方のカバー部７０５によって形成された空間７０６（次の図１３を参照）を形成する。
【００４５】
図１３は、ばね部材本体７０３の一部の拡大断面図である。ディスク５０９がテーブル５０８上に装着された状態で、クランプ部材６７７の周縁部は、収納孔６８３から図１３の上方に離脱して、ホルダ本体６８１の厚み方向のばね部材本体７０３側のカバー部７０５によって形成される空間７０６に位置して収納される。ばね部材本体７０３の周縁部７０４には、周方向にたとえば９０度の等間隔をあけて係止孔７０７が形成される。
【００４６】
図１４は、係止孔７０７とその付近の平面図である。係止孔７０７は、ホルダ本体６８１に形成された係止突起６９３および位置決め用突起６９６との組合わせに対応して、周方向に細長く延びる。係止孔７０７は、周方向の一方向７０１の端部に形成される挿通孔７０８と、この挿通孔７０８に連なる位置決め用長孔７０９とを有する。
【００４７】
前述の図８を参照して、係止突起６９３の係止部６９５の幅をＷ１とし、連結部６９４の幅をＷ２とし、位置決め用突起６９６の外径をＤ１とするとき、Ｗ１＞Ｄ１≧Ｗ２に定められる。
【００４８】
ばね部材本体７０３の係止孔７０７において、図１４の挿通孔７０８の幅Ｗ３は、Ｗ３＞Ｗ１に定められ、位置決め用長孔７０９の幅Ｗ４は、Ｗ４＝Ｄ１に選ばれる。Ｗ４＞Ｄ１であってもよい。挿通孔７０８に係止突起６９３が挿通され、ばね部材６７９が周方向の他方向７０２のホルダ６７８に対して角変位されるとき、係止突起６９３の連結部６９４は、挿通孔７０８から位置決め用長孔７０９に、幅Ｗ３から幅Ｗ４に連続して小さくなるように傾斜した接続孔７１０が形成される。これによって係止突起６９３の連結部６９４は、挿通孔７０８から円滑に位置決め用長孔７０９に入込むことができる。
【００４９】
図１５は、図１４における周方向の一方向７０１から挿通孔７０８を見た断面図である。係止部６９５が挿通孔７０８に円滑に挿入され、また強度の向上のために、切起し片７１１が形成される。
【００５０】
図１６は、ばね部材本体７０３に係止孔７０７の位置決め用長孔７０９の両側部には、その位置決め用長孔７０９の円弧上の長手方向の途中位置で、突出部７１３が形成される。この突出部７１３は、ホルダ本体６８１の前記表面６９０とは反対側（図１６の上方）に突出する。前記突起６９３における連結部６９４の高さをＨ１１とし、突出部７１３の自然状態における高さをＨ１２とするとき、Ｈ１１＜Ｈ１２に定められる。したがって突出部７１３が係止突起の係止部６９５に接触することによって、ばね部材本体７０３の周縁部７０４は、係止部６９５とホルダ本体６８１の前記表面６９０との間に係止されて弾発的に挟持され、ばね部材本体７０３がホルダ本体６８１に取付けられる。突出部７１３は、ほぼ球面の一部から成り、したがって係止部６９５が突出部７１３上に円滑に移動することができる。このとき、位置決め用突起６９６は、位置決め用長孔７０９にぴったりと嵌まり込み、カバー部７０５の軸線７１４（前述の図１０参照）を中心とする円弧上に変位する。こうしてばね部材本体７０３の軸線７１４は、ホルダ本体６８１の収納孔６８３の軸線６８２（前述の図４参照）と一致する。
【００５１】
ばね部材本体７０３には、半径方向外方（図１０および図１１の左右方向）に、細長い操作部７１５が延びる。この操作部７１５には、第２変位阻止部である変位阻止用透孔７１６がそれぞれ形成される。変位阻止用透孔７１６は、ホルダ本体６８１の収納孔６８３、したがってばね部材本体７０３のカバー部７０５よりも半径方向外方に形成される。この変位阻止用透孔７１６には、ホルダ本体６８１に形成された変位阻止用突起６９７がぴったりと嵌合する。こうして変位阻止用突起６９７が変位阻止用透孔７１６に嵌合している状態で、図１６に示されるように突出部７１３がホルダ本体６８１の表面６９０と係止突起６９３の係止部６９５との間に挟持されるとともに、ホルダ本体６８１とばね部材６７９との軸線６８２，７１４まわりの相互の角変位が阻止される。このような変位阻止用突起６９７と操作部７１５との組合せは、軸線７１４の周方向に１８０°ずれて線対称に形成される。
【００５２】
操作部７１５の遊端部７１７は、半径方向外方（図１０および図１１の左右方向）になるにつれて、ホルダ本体６８１の前記表面６９０から遠去かるように、すなわち図１１の上方となるように、傾斜して形成される。これによってホルダ本体６８１にばね部材６７９を取付ける作業およびホルダ本体６８１からばね部材６７９を取外す作業を容易に行うことができるようになる。遊端部７１７を、操作部７１５の弾発力に抗して、前記表面６９０から図１１の上方に把持してつまみ上げることが容易である。
【００５３】
再び図９を参照して、ばね部材６７９をホルダ本体６８１に取付けるにあたり、操作部７１５を周方向の一方向７０１に軸線７１４まわりに角変位することによって、操作部７１５は、案内部６９８の操作用案内傾斜面６９９に沿って上昇し、操作部７１５が変位阻止用突起６９７の上方に円滑にもたらすことができるようになる。こうして操作部７１５に形成された変位阻止用透孔６が、変位阻止用突起６９７の直上にもたらされてぴったりと嵌合する。これによって組立ての作業性が良好である。
【００５４】
再び図１０〜図１２を参照して、ホルダ本体６８１の収納孔６８３に対応するばね部材７０３のカバー部７０５付近には、収納孔６８３の半径方向外周部付近で、周方向に間隔をあけて複数（この実施の形態では９０°ずつ合計４つ）の保持片７１９が形成される。保持片７１９は、周縁部７０４からテーブル５０８に図１１および図１２の下方に延びる連結部７２０に連なる。こうして保持片７１９は、ばね部材本体７０３から厚み方向に間隔をあけて、配置され、しかも半径方向内方に突出する。この保持片７１９は、クランプ部材６７７のテーブル５０８側の表面の外周部を、前述のたとえば図２におけるクランプ手段６７５の上限位置などで保持する。
【００５５】
図４に示されるホルダ本体６８１には、切欠き７２１が形成されて、取付け片７２２が設けられる。この取付け片７２２には、テーブル５０８側でばね部材本体７０３に形成されたもう１つの取付け片７２３（図１２に参照）が弾発的に係止する。これらの取付け片７２２，７２３に代えて、本発明の実施の他の形態では、前述の係止突起６９３および位置決め用突起６９６ならびに係止孔７０７との組合せが用いられてもよい。
【００５６】
図１７はばね部材６７９の一部を構成するばね片７２４の平面図であり、図１８は図１７の切断面線ＸＶＩＩＩ−ＸＶＩＩＩから見た断面図である。ばね片７２４は、ばね部材本体７０３のカバー部７０５に溶接によって固定される固定部７２５と、この固定部７２５に連なる連結部７２６と、連結部７２６の遊端部から固定部７２５に向けて延びる押圧部７２７とを有し、ばね力を発揮する金属板のたとえばプレス加工などによって形成される。押圧部７２７は、その下方のクランプ部材６７７に向けて傾斜して延び、クランプ部材６７７の中央凸部７２９に、軸線７１４上で点接触する。軸線７１４は、テーブル５０８の回転軸線に一致する。
【００５７】
図１９はクランプ部材６７７の平面図であり、図２０はクランプ部材６７７の側面図であり、図２１はクランプ部材６７７の断面図である。クランプ部材６７７は、強磁性材料から成り、たとえば鉄などの金属材料から成り、その表面には、中央凸部７２９とばね片７２４の押圧部７２７との低摩擦の接触が可能となるように、めっきが施される。このようなクランプ部材６７７は、プレス加工によって剪断および成形の加工が、容易に可能であるという優れた利点がある。クランプ部材６７７の中央凸部７２９には、平坦部７３１が連なる。この平坦部７３１には、複数の嵌合凸部７３２が、テーブル５０８に向けて図２１の下方に突出して形成される。
【００５８】
図２２は、嵌合凸部７３２付近の拡大断面図である。嵌合凸部７３２は、この実施の形態では、周方向に等間隔に合計３つ、形成される。嵌合凸部７３２の外周面７３５は、クランプ部材６７７の回転軸線７３６と同軸の仮想円筒面７３７上に共通に存在する。
【００５９】
クランプ部材６７７の平坦部７３１には、嵌合凸部７３２の半径方向外方に連絡部７３３を介してディスクから成るディスク押圧部７３４が連なる。さらにディスク押圧部７３４の半径方向外方には、ばね部材６７９の保持片７１９によって保持される環状の保持部７３８が連なる。ディスク押圧部７３４は、テーブル５０８上のディスク５０９の上表面に環状に押圧する。嵌合凸部７３２は、ディスク５０９の中央孔７３９を挿通する。
【００６０】
図２３はテーブル５０８付近の一部を切欠いて示す断面図であり、図２４はテーブル５０８の平面図であり、図２５はテーブル５０８にディスク５０９がクランプ部材６７７によって装着された状態を示す拡大断面図である。回転駆動源５０６の回転軸線５０７を有する回転軸７４１には、固定孔７４２が嵌合される。環状の永久磁石片７４３は、クランプ部材６７７の平坦部７３１を磁気吸引する。このテーブル５０８には、回転軸線５０７と同心の環状凹溝７４４が形成される。この凹溝７４４の半径方向外方の内周面７４５は、クランプ部材６７７の嵌合凸部７３２の外周面７３５にぴったりと嵌合する。
【００６１】
再び図２２を参照して、嵌合凸部７３２の遊端部７４６には、前記外周面７３５に連なってその遊端部に近づくにつれて（図２２の下方になるにつれて）、半径方向内方に傾斜した第１案内傾斜面７４７が形成される。この第１案内傾斜面７４７に対応して、図２５に示されるようにテーブル５０８には、第２案内傾斜面７４８が形成される。第２案内傾斜面７４８は、凹溝７４４の前記内周面７４５に連なって、クランプ部材７３３に近づくにつれて（図２５の上方になるにつれて）、半径方向外方（図２５の右方）に傾斜して形成される。これによってクランプ部材７３３のテーブル５０８への下降時、第１および第２案内傾斜面７４７，７４８の働きによって嵌合凸部７３２が円滑に凹溝７４４に嵌合することが容易に可能である。クランプ部材７３３のディスク押圧部７３４は、そのクランプ部材７３３と永久磁石片７４３との磁気吸引力によって、ディスク５０９を、回転駆動源５０６の棒状の回転体の平坦な円板状受け部５４９に、その受け部５４９に固定された環状の介在片７５１上に押圧され、安定に、ディスク５０９がテーブル５０８上に装着される。
【００６２】
再び図８を参照して、ホルダ本体６８１は、収納孔６８３の周方向に間隔をあけてかつ半径方向内方に突出した複数の支持片７５５が形成される。この支持片７５５の収納孔６８３における半径方向内方端７５６は、ホルダ本体６８１に平行な図４の紙面における一仮想平面内で、真円の一部を構成する円弧上に形成され、したがって収納孔６８３内のクランプ部材６７７の半径方向外方端に、点接触する。これによってクランプ部材６７７と支持片７５５との接触時の摩擦力を低減することができ、クランプ部材６７７によるディスク５０９のテーブル５０８への円滑な装着が可能になる。この支持片７５５の内方端７５６は、軸線６８２に垂直な図４の紙面上の仮想平面内で、その軸線６８２上に中心を有する仮想円７５７上に存在する。したがって収納孔６８３内でクランプ部材６７７は、そのクランプ部材６７７の軸線７２９が、収納孔６８３の軸線６８２にほぼ正確に一致することが可能である。
【００６３】
ディスク５０９の中央孔７３９は、テーブル５０８の凹溝７４４よりも半径方向外方に形成された案内傾斜部７５３から受け部７４９に垂直に連なる装着部７５４に嵌合される。
【００６４】
ディスク５０９は、デジタルビデオディスク（ＤＶＤ）であってもよいけれども、コンパクトディスク（ＣＤ）であってもよく、このような光ディスクであってもよいが、そのほか、たとえば光磁気ディスクなどのディスクであってもよい。
【００６５】
本発明は、ディスクの再生装置に関連して実施されるだけでなく、ディスクの記録装置に関連しても実施することができ、さらに再生および記録を行う装置に関連しても実施することができる。
【００６６】
【発明の効果】
請求項１，２記載の本発明によれば、クランプ手段は、クランプ部材とホルダとばね部材とによって基本的に構成され、部品点数の低減が図られ、また組立て作業が容易であり、生産性が向上される。
【００６７】
請求項３の本発明によれば、係止孔は、ホルダの係止突起の係止部が挿通する挿通孔に連なって、連結部が通過する位置決め用長孔を有するので、ホルダとばね部材とを、収納孔の軸線まわりに角変位することによって、係止孔に係止突起を容易な組立て作業で装着することができる。
【００６８】
請求項４の本発明によれば、ホルダ本体に形成された位置決め用突起が位置決め用長孔に嵌まり込み、これによってホルダとばね部材とを、前述の収納孔の軸線まわりに正確に角変位して取付け、組立て精度の向上を図ることができる。
【００６９】
請求項５の本発明によれば、ホルダの係止突起がばね部材の係止孔に係止した状態で、ホルダの第１変位阻止部の変位阻止用突起が、ばね部材の第２変位阻止部の変位阻止用透孔にぴったりと嵌合し、これによってホルダとばね部材との角変位が阻止され、正確な位置決め状態が保たれるとともに、変位阻止用透孔は、細長い操作部に形成されているので、この操作部のばね力に抗して操作部をホルダ本体から離間する方向に弾発的にし、変位阻止用透孔に変位阻止用突起を嵌合することが容易に可能であり、組立て作業が容易になる。
【００７０】
請求項６の本発明によれば、変位阻止用突起と操作部との組合せが、一対、設けられているので、このことによってもまた、組立て作業を容易に行って、変位阻止用突起を変位阻止用透孔に嵌合することが容易となる。
【００７１】
請求項７の本発明によれば、ばね部材の操作部の遊端部が、ホルダ本体から遠去かる方向に傾斜しているので、この操作部を把持することが容易となり、このことによってもまた、変位阻止用突起に、その操作部に形成された変位阻止用透孔を位置決めして嵌め込むことが容易である。
【００７２】
請求項８の本発明によれば、ホルダ本体とばね部材とを収納孔の軸線まわりに角変位する作業によって、操作部が、ホルダの操作部用案内傾斜面に沿ってホルダ本体の表面から離間し、こうして操作部の変位阻止用透孔が変位阻止用突起の直上にもたらすことが容易であり、変位阻止用突起を変位阻止用透孔にぴったりと嵌合することが、容易な作業で行うことができるようになる。
【００７３】
請求項９の本発明によれば、ホルダの係止突起の係止部が係止するばね部材の突出部は、ばね部材本体の位置決め用長孔の両側部に弾性変形可能に形成され、したがって製造が、たとえばプレス加工などによって容易に行うことができるようになり、生産性が向上される。
【００７４】
請求項１０，１１記載の本発明によれば、ホルダのホルダ本体に形成された収納孔には、複数の支持片が間隔をあけて配置され、したがってクランプ部材は、この支持片にごくわずかの接触部分で接触するだけであり、これによってクランプ部材は、ディスクをテーブル上に乗載して押圧する動作を円滑に行い、ディスクのテーブルへの装着が確実になる。また本発明によれば、クランプ手段は、クランプ部材とホルダとばね部材とによって基本的に構成されるので、部品点数の低減を図り、製造を容易にし、大量生産が容易に可能になり、生産性が向上される。
【００７５】
請求項１２の本発明によれば、支持片の半径方向内方端が円弧状に形成されるので、支持片の半径方向内方端がクランプ部材の外周部と点接触することができ、これによってクランプ部材のさらに一層円滑な動作変位が可能になり、したがってテーブル上にディスクを確実に円滑に装着することができるようになる。
【００７６】
請求項１３の本発明によれば、クランプ部材がディスクをテーブルに押圧してディスクの再生または記録のいずれか少なくとも一方が行われている状態では、クランプ部材は、収納孔のテーブルとは反対側におけるばね部材本体内の空間７０６に位置しており、これによってクランプ部材は、支持片などに接触することなく、ディスクの円滑な回転を確実に行わせることができるようになる。
【図面の簡単な説明】
【図１】本発明の実施の一形態の全体の構成を示す簡略化した平面図である。
【図２】ＤＶＤ再生装置５０１の挿入／排出口５０２から見たディスク５０９がテーブル５０８直上に間隔をあけて存在するディスク５０９の上限位置を示す正面図である。
【図３】ディスク５０９がテーブル５０８に装着されて再生される下限位置にある状態を示す正面図である。
【図４】クランプ手段６７５を構成するホルダ６７８の平面図である。
【図５】ホルダ６７８の図４における下方から見た正面図である。
【図６】ホルダ６７８の右側面図である。
【図７】ホルダ６７８の左側面図である。
【図８】係止突起６９３とその付近の拡大した平面図である。
【図９】図４の切断面線ＩＸ−ＩＸから見た断面図である。
【図１０】ばね部材６７９の平面図である。
【図１１】図１０の下方から見たばね部材６７９の正面図である。
【図１２】ばね部材６７９の図１０における左方から見た側面図である。
【図１３】ばね部材本体７０３の一部の拡大断面図である。
【図１４】係止孔７０７とその付近の平面図である。
【図１５】図１４における周方向の一方向７０１から挿通孔７０８を見た断面図である。
【図１６】切断面線ＸＶＩ−ＸＶＩから見た係止孔７０７の断面図である。
【図１７】ばね部材６７９の一部を構成するばね片７２４の平面図である。
【図１８】図１７の切断面線ＸＶＩＩＩ−ＸＶＩＩＩから見た断面図である。
【図１９】クランプ部材６７７の平面図である。
【図２０】クランプ部材６７７の側面図である。
【図２１】クランプ部材６７７の断面図である。
【図２２】嵌合凸部７３２付近の拡大断面図である。
【図２３】テーブル５０８付近の一部を切欠いて示す断面図である。
【図２４】テーブル５０８の平面図である。
【図２５】テーブル５０８にディスク５０９がクランプ部材６７７によって装着された状態を示す拡大断面図である。
【符号の説明】
５０１  ＤＶＤ再生装置
５０６  回転駆動源
５０７  回転軸線
５０８  テーブル
５０９  ディスク
５１１  光ピックアップ
５１９  基体
６７５  クランプ手段
６７６  昇降手段
６７７  クランプ部材
６７８  ホルダ
６７９  ばね部材
６８１  ホルダ本体
６８３  収納孔
６９３  係止突起
６９４  連結部
６９５  係止部
６９６  位置決め用突起
６９７  変位阻止用突起
６９９  操作用案内傾斜面
７０１  一方向
７０２  他方向
７０３  ばね部材本体
７０４  周縁部
７０５  カバー部
７０６  空間
７０７  係止孔
７０８  押圧孔
７０９  位置決め用長孔
７１５  操作部
７１６  変位阻止用透孔
７１７  遊端部
７１９  保持片
７２２  取付け片
７２３  取付け片
７２４  ばね片
７２９  中央凸部
７３２  嵌合凸部
７３４  ディスク押圧部
７３５  外周面
７３７  仮想円周面
７３９  中央孔
７４３  永久磁石片
７４４  環状凹溝
７４６  遊端部
７４７  第１案内傾斜面
７４８  第２案内傾斜面
７５３  案内傾斜部
７５４  装着部
７５５  支持片
【図１】
0004202584.tif 000002
【図２】
0004202584.tif 000003
【図３】
0004202584.tif 000004
【図４】
0004202584.tif 000005
【図５】
0004202584.tif 000006
【図６】
0004202584.tif 000007
【図７】
0004202584.tif 000008
【図８】
0004202584.tif 000009
【図９】
0004202584.tif 000010
【図１０】
0004202584.tif 000011
【図１１】
0004202584.tif 000012
【図１２】
0004202584.tif 000013
【図１３】
0004202584.tif 000014
【図１４】
0004202584.tif 000015
【図１５】
0004202584.tif 000016
【図１６】
0004202584.tif 000017
【図１７】
0004202584.tif 000018
【図１８】
0004202584.tif 000019
【図１９】
0004202584.tif 000020
【図２０】
0004202584.tif 000021
【図２１】
0004202584.tif 000022
【図２２】
0004202584.tif 000023
【図２３】
0004202584.tif 000024
【図２４】
0004202584.tif 000025
【図２５】
0004202584.tif 000026